(57)【要約】【課題】錠本体に設けた操作部の反対側の物置等の内部から操作して、引戸を開けることができるようにする簡易な構成の機構によって、物置等に閉じ込められることを防止することができる引戸用錠機構を提供すること。【解決手段】引戸Ｄに設けた錠本体１の鎌２を、戸枠Ｗに設けたスリット３の縁部に掛止することにより施錠する引戸用錠機構において、スリット３に鎌２が施錠状態で通過可能な通過部４を形成するとともに、通過部４に鎌２を掛止する通過部の閉鎖部材としてのプレート５を錠本体１に設けた操作部１ａ、６の反対側の物置の内部から操作可能に配設し、プレート５により通過部４を開閉可能に構成する。【選択図】図１
2006207321.tif 000002
【特許請求の範囲】
【請求項１】
引戸に設けた錠本体の鎌を、戸枠に設けたスリットの縁部に掛止することにより施錠する引戸用錠機構において、前記スリットに鎌が施錠状態で通過可能な通過部を形成するとともに、該通過部に鎌を掛止する通過部の閉鎖部材を錠本体に設けた操作部の反対側から操作可能に配設し、該閉鎖部材により前記通過部を開閉可能に構成したことを特徴とする引戸用錠機構。
【発明の詳細な説明】
【技術分野】
【０００１】
本発明は、引戸用錠機構に関し、特に、物置等に閉じ込められることを簡易な構成にて防止することができるようにした引戸用錠機構に関するものである。
【背景技術】
【０００２】
例えば、庭などに設置される物置は、薄い鋼板によって組み立てられ、引戸によって開閉される構造が普及している。
この種の、物置の引戸に用いられる引戸用錠機構は、引戸に設けた錠本体の鎌を、戸枠に設けたスリットの縁部に掛止することにより施錠するようにしている。
【０００３】
ところで、大型の物置などでは、いたずら等によって、子供等が中に入った状態で鍵をかけてしまうケースがある。
この場合、錠本体が鍵によってロックされているため、内側から鎌を動かすことはできず、これにより、中に入っている人は閉じ込められることになり、安全上の問題があった。
【発明の開示】
【発明が解決しようとする課題】
【０００４】
本発明は、上記従来の引戸用錠機構が有する問題点に鑑み、錠本体に設けた操作部の反対側の物置等の内部から操作して、引戸を開けることができるようにする簡易な構成の機構によって、物置等に閉じ込められることを防止することができる引戸用錠機構を提供することを目的とする。
【課題を解決するための手段】
【０００５】
上記目的を達成するため、本発明の引戸用錠機構は、引戸に設けた錠本体の鎌を、戸枠に設けたスリットの縁部に掛止することにより施錠する引戸用錠機構において、前記スリットに鎌が施錠状態で通過可能な通過部を形成するとともに、該通過部に鎌を掛止する通過部の閉鎖部材を錠本体に設けた操作部の反対側から操作可能に配設し、該閉鎖部材により前記通過部を開閉可能に構成したことを特徴とする。
【発明の効果】
【０００６】
本発明の引戸用錠機構によれば、引戸に設けた錠本体の鎌を、戸枠に設けたスリットの縁部に掛止することにより施錠する引戸用錠機構において、前記スリットに鎌が施錠状態で通過可能な通過部を形成するとともに、該通過部に鎌を掛止する通過部の閉鎖部材を錠本体に設けた操作部の反対側から操作可能に配設し、該閉鎖部材により前記通過部を開閉可能に構成したことから、物置等の中に入った状態で鍵をかけられても、鎌を掛止する通過部の閉鎖部材を錠本体に設けた操作部の反対側の物置等の内部から操作して、通過部を開放することにより、通過部を通して施錠状態の鎌が通過可能となって引戸を開くことができ、これにより、物置等に閉じ込められることを簡易な構成にて防止することができる。
【発明を実施するための最良の形態】
【０００７】
以下、本発明の引戸用錠機構の実施の形態を、図面に基づいて説明する。
【実施例１】
【０００８】
図１〜図３に、本発明の引戸用錠機構の第１実施例を示す。
この引戸用錠機構は、例えば、図７に示す物置において、引戸Ｄに設けた錠本体１の鎌２を、戸枠Ｗに設けたスリット３の縁部に掛止することにより施錠するものであり、前記スリット３に鎌２が施錠状態で通過可能な通過部４を形成するとともに、該通過部４に鎌２を掛止する通過部の閉鎖部材としてのプレート５を錠本体１に設けた操作部（本実施例においては、摘み１ａ及びシリンダー錠６）の反対側の物置の内部から操作可能に配設し、該プレート５により前記通過部４を開閉可能に構成している。
【０００９】
錠本体１は、操作部として、外側から鍵を差し込んで回すシリンダー錠６と、シリンダー錠６によって回転がロックされる歯車７と、該歯車７と歯合し、外側の摘み１ａを回転させることにより揺動する鎌２とを備えている。
この錠本体１は、施錠後に鍵（図示省略）を抜き取ってしまうと、シリンダー錠６によって歯車７がロックされることから、下りた鎌２は手で押し上げることができない。
【００１０】
スリット３は、錠本体１の鎌２が下りた状態で通過できるように下側に所要長く形成されており、これにより、鎌２が施錠状態で通過可能な通過部４を形成している。
そして、この通過部４には、鎌２を掛止するプレート５が、スリット３を形成した枠板８の背面にマグネット９を介してスライド可能に固定されている。
【００１１】
プレート５は、スリット３の通過部４を跨ぐように、枠板８の幅方向に亘って配設されており、突出するリング１０を手前に引くことにより、横方向にスライドして通過部４を開放することができる。
なお、通過部４を開放した後、プレート５を元の位置に正確に戻すために、枠板８にガイド（図示省略）を設けることもできる。
【実施例２】
【００１２】
次に、図４〜図６に、本発明の引戸用錠機構の第２実施例を示す。
この引戸用錠機構は、第１実施例と同様に、引戸Ｄに設けた錠本体１の鎌２を、戸枠Ｗに設けたスリット３の縁部に掛止することにより施錠するものであり、前記スリット３に鎌２が施錠状態で通過可能な通過部４を形成するとともに、鎌２を掛止する通過部の閉鎖部材としてのプレート５を該通過部４に開閉可能に配設している。
【００１３】
錠本体１、スリット３及び通過部４の構成は、第１実施例と同じであるが、通過部４には、鎌２を掛止するプレート５が、スリット３を形成した枠板８の背面に板ばね１１によってスライド可能に固定されている。
【００１４】
プレート５は、スリット３の通過部４を跨ぐように、枠板８の幅方向に亘って配設されており、両側に縦長に配設された板ばね１１によって、枠板８との間に上下左右にスライド可能に挟持されている。
枠板８には、図６に示すように、鉤型のガイド溝１２が縦に２本平行に形成されており、このガイド溝１２には、プレート５から突設された２個の突起１３が摺動可能に嵌挿されている。
これらの突起１３とガイド溝１２は、プレート５を傾くことなく上下に案内するとともに、プレート５の復帰位置を規定するものであるが、一方の突起１３は摘み１３ａとして形成されている。
プレート５は、通常は突起１３がガイド溝１２上部の横溝に保持されているが、摘み１３ａを縦溝に移動させて引き下げることにより、プレート５を下にスライドさせて通過部４を開放することができる。
【００１５】
かくして、本実施例の引戸用錠機構は、引戸Ｄに設けた錠本体１の鎌２を、戸枠Ｗに設けたスリット３の縁部に掛止することにより施錠する引戸用錠機構において、前記スリット３に鎌２が施錠状態で通過可能な通過部４を形成するとともに、該通過部４に鎌２を掛止する通過部の閉鎖部材としてのプレート５を錠本体１に設けた操作部（摘み１ａ及びシリンダー錠６）の反対側の物置の内部から操作可能に配設し、該プレート５により前記通過部４を開閉可能に構成することから、物置の中に入った状態で鍵をかけられても、鎌２を掛止するプレート５を錠本体１に設けた操作部（摘み１ａ及びシリンダー錠６）の反対側の物置の内部から操作して、通過部４を開放することにより、通過部４を通して施錠状態の鎌２が通過可能となって引戸Ｄを開くことができ、これにより、物置に閉じ込められることを簡易な構成にて防止することができる。
【００１６】
以上、本発明の引戸用錠機構について、複数の実施例に基づいて説明したが、本発明は上記実施例に記載した構成に限定されるものではなく、例えば、鎌２が施錠状態で通過可能な通過部４を開閉可能にできる限りにおいて、鎌２を掛止する通過部の閉鎖部材として、プレート５のほか、ピン部材やブロック体等を用いたり、閉鎖部材の移動も、スライド（摺動）方式のほか、回転方式等を採用できる等、その趣旨を逸脱しない範囲において適宜その構成を変更することができる。
【産業上の利用可能性】
【００１７】
本発明の引戸用錠機構は、物置等に閉じ込められることを簡易な構成にて防止することができることから、例えば、引戸用錠機構を備えた物置や倉庫等に好適に用いることができる。
【図面の簡単な説明】
【００１８】
【図１】本発明の引戸用錠機構の第１実施例を内側から見た正面図である。
【図２】同実施例の引戸用錠機構を示す断面平面図である。
【図３】スリットとプレートを示す枠板の背面図である。
【図４】本発明の引戸用錠機構の第２実施例を内側から見た正面図である。
【図５】同実施例の引戸用錠機構を示す断面平面図である。
【図６】（ａ）はスリットとプレートを示す枠板の背面図、（ｂ）は枠板の背面図である。
【図７】引戸用錠機構を取り付けた物置の斜視図である。
【符号の説明】
【００１９】
１    錠本体
１ａ  摘み
２    鎌
３    スリット
４    通過部
５    プレート（通過部の閉鎖部材）
６    シリンダー錠
７    歯車
８    枠板
９    マグネット
１０  リング
１１  板ばね
１２  ガイド溝
１３  突起
１３ａ  摘み
Ｄ    引戸
Ｗ    戸枠
【図１】
2006207321.tif 000003
【図２】
2006207321.tif 000004
【図３】
2006207321.tif 000005
【図４】
2006207321.tif 000006
【図５】
2006207321.tif 000007
【図６】
2006207321.tif 000008
【図７】
2006207321.tif 000009